(57)【要約】      （修正有）【課題】小さい動作角で回動可能なリバーシブルラチェットレンチを提供する。【解決手段】ラチェットレンチ１０は、本体２０と、駆動具と、爪車装置４０と、切り替え装置５０と、プッシャー６０とを備える。駆動具は本体２０の内部に設けられ、駆動具の外周面には環状歯部が設けられている。爪車装置４０は、環状歯部に噛合う第１爪車ブロック４１と第２爪車ブロック４２とを含む。切り替え装置５０は、第１爪車ブロック４１と第２爪車ブロック４２から所定の距離離れた箇所に位置する仮想枢転軸を有する。切り替え装置５０は制御具５１を含む。ラチェットレンチの位置を切り替えるとき、制御具５１の一端が第１爪車ブロック４１と第２爪車ブロック４２に当接される。プッシャー６０は爪車装置４０と切り替え装置５０との間に設けられ、切り替え装置５０は爪車装置４０を移動させる。【選択図】図３
0003194592.tif 000002
【実用新案登録請求の範囲】
【請求項１】
本体と、駆動具と、爪車装置と、切り替え装置と、プッシャーとを備える、小さい動作角で回動可能なリバーシブルラチェットレンチであって、
前記本体は仮想回転軸を有し、該本体の内部には収容空間と収容室が設けられており、該収容室は前記仮想回転軸の形方向に沿って前記収容空間の一側に形成され、かつ該収容空間と連通されており、
前記駆動具は、前記本体の前記収容空間に設けられ、かつ前記仮想回転軸を軸心として前記本体に相対して回転することができ、前記仮想回転軸の径方向の外側に沿った該駆動具の外周面には環状歯部が設けられており、
前記爪車装置は、第１爪車ブロックと第２爪車ブロックとを含み、該第１爪車ブロックと第２爪車ブロックは、各自の歯が互いに交差するように前記仮想回転軸の軸方向に沿って並列され、前記第１爪車ブロックと前記第２爪車ブロックは両方とも前記収容室に設けられ、かつ別々に前記駆動具に噛み合い、前記駆動具に接近する前記第１爪車ブロックの一側には第１爪部が形成され、前記駆動具に接近する前記第２爪車ブロックの一側には第２爪部が形成され、前記第１爪部と第２爪部は選択により、別々に前記環状歯部に噛み合い、
前記切り替え装置は、前記仮想回転軸に平行する仮想枢転軸を有し、該仮想枢転軸は、前記第１爪車ブロックと前記第２爪車ブロックから所定の距離離れた箇所に位置し、前記切り替え装置は前記収容室の内部に設けられ、かつ前記仮想枢転軸を軸心として回転することができる制御具を含み、前記ラチェットレンチの位置を切り替えるとき、前記制御具の一端が前記第１爪車ブロックと前記第２爪車ブロックに当接され、かつ該制御具によって前記第１爪車ブロックと前記第２爪車ブロックが移動し、
前記プッシャーは、前記爪車装置と前記切り替え装置との間に設けられ、該プッシャーの押動により前記第１爪車ブロックと前記第２爪車ブロックが前記環状歯部に噛み合うことを特徴とする、小さい動作角で回動可能なリバーシブルラチェットレンチ。
【請求項２】
前記第１爪車ブロックには、前記仮想回転軸の軸方向に沿った第１フランジが凸設され、前記第２爪車ブロックには、前記仮想回転軸の軸方向に沿った第２フランジが凸設され、前記爪車装置に接近する前記制御具の一端には、前記仮想回転軸の径方向に延伸された少なくとも１つの制御アームが形成され、該制御アームには前記仮想枢転軸の径方向に沿った滑り溝が設けられ、前記第１フランジが該滑り溝の内部に設けられることにより、第１爪車ブロックは前記仮想枢転軸の径方向に沿って前記制御具に相対して滑動するとともに、前記制御具に相対して回動することを特徴とする、請求項１記載の小さい動作角で回動可能なリバーシブルラチェットレンチ。
【請求項３】
前記制御具の一端には２つの制御アームが形成され、前記第１フランジは前記第２爪車ブロックの反対側である前記第１爪車ブロックの一端に設けられ、前記第２フランジは前記第１爪車ブロックの反対側である前記第２爪車ブロックの一端に設けられ、前記第１フランジと前記第２フランジがそれぞれ前記２つの滑り溝に設けられることにより、前記第２爪車ブロックが前記仮想枢転軸の径方向に滑動するとともに、かつ前記制御具に相対して回転することができ、前記滑り溝の両側には係止面がそれぞれ形成され、該係止面はそれぞれ前記第１フランジと前記第２フランジの両側に当接されることを特徴とする、請求項２記載の小さい動作角で回動可能なリバーシブルラチェットレンチ。
【請求項４】
前記第１フランジと前記第２フランジは円柱状に形成されることを特徴とする、請求項３記載の小さい動作角で回動可能なリバーシブルラチェットレンチ。
【請求項５】
前記プッシャーは、前記２つの滑り溝にそれぞれ設けられる第１弾性具と第２弾性具を含み、該第１弾性具の両端はそれぞれ、前記制御具と前記第１爪車ブロックの前記第１フランジとに当接され、前記第２弾性具の両端はそれぞれ、前記制御具と前記第２爪車ブロックの前記第２フランジとに当接され、前記第２弾性具と前記第２弾性具との押動により、前記第１爪車ブロックと前記第２爪車ブロックが前記制御具から離れる方向に移動することを特徴とする、請求項４記載の小さい動作角で回動可能なリバーシブルラチェットレンチ。
【請求項６】
前記第１爪部の両端には、複数の第１爪車と複数の第２爪車とがそれぞれ形成され、該複数の第１爪車と複数の第２爪車はそれぞれ、前記第１爪部の異なる面に形成され、前記第２爪部の両端には、複数の第３爪車と複数の第４爪車とがそれぞれ形成され、該複数の第３爪車と複数の第４爪車はそれぞれ、前記第２爪部の異なる面に形成され、前記第１爪車ブロックと前記第２爪車ブロックが第１位置に位置するとき、前記複数の第１爪車又は前記複数の第３爪車が前記環状歯部に噛み合い、前記第１爪車ブロックと前記第２爪車ブロックが第２位置に位置するとき、前記複数の第２爪車又は前記複数の前記第４爪車が前記環状歯部に噛み合うことを特徴とする、請求項１ないし請求項５のいずれか一項に記載の小さい動作角で回動可能なリバーシブルラチェットレンチ。
【請求項７】
前記駆動具の環状歯部には、複数の第１環状歯と複数の第２環状歯とがそれぞれ設けられ、該複数の第１環状歯と該複数の第２環状歯は、各自の歯が交差するように前記仮想回転軸の軸方向に沿って配列され、前記第１爪車ブロックと前記第２爪車ブロックの形状が同じであり、前記第１爪部の前記第１爪車又は前記第２爪車は選択により、別々に前記第１環状歯に噛み合い、前記第２爪部の前記第３爪車又は前記第４爪車は選択により、別々に前記第２環状歯に噛み合うことを特徴とする、請求項１ないし請求項５のいずれか一項に記載の小さい動作角で回動可能なリバーシブルラチェットレンチ。
【請求項８】
前記駆動具は、前記環状歯部に設けられた環状溝を更に含み、前記制御具と向き合う前記第１爪車ブロックの一端には、第１係止フランジが凸設され、該第１係止フランジは、前記環状溝に係合されることを特徴とする、請求項１ないし請求項５のいずれか一項に記載の小さい動作角で回動可能なリバーシブルラチェットレンチ。
【請求項９】
前記制御具と向き合う前記第２爪車ブロックの一端には、前記環状溝に係合される第２係止フランジが設けられ、前記環状溝は前記第１爪車ブロックと前記第２爪車ブロックとの間に位置し、該第１爪車ブロックと第２爪車ブロックはそれぞれ前記環状歯部の両側に噛み合い、前記第１係止フランジは前記第２爪車ブロックに接近する前記第１爪車ブロックの一側に設けられ、前記第２係止フランジは前記第１爪車ブロックに接近する前記第１爪車ブロックの一側に設けられていることを特徴とする、請求項８記載の小さい動作角で回動可能なリバーシブルラチェットレンチ。
【請求項１０】
前記収容空間は第１直径を有し、該収容空間内には係止フランジと係止凹部とが設けられ、該係止フランジと係止凹部は、前記仮想回転軸の軸方向に沿って前記収容空間の両端に設けられ、前記係止凹部内には係止リングを更に設けられ、前記係止フランジは第２直径を有し、前記係止リングは第３直径を有し、前記第２直径と前記第３直径はいずれも前記第１直径より小さく、前記環状歯部の最大直径が前記第１直径より小さく、かつ前記第２直径と前記第３直径より大きいことにより、仮想回転軸の軸方向に沿う前記駆動具の両端がそれぞれ前記係止フランジと前記係止リングとに当接されることを特徴とする、請求項１ないし請求項５のいずれか一項に記載の小さい動作角で回動可能なリバーシブルラチェットレンチ。
【請求項１１】
前記本体には操作部が更に設けられ、該操作部には前記仮想回転軸の軸方向に形成され、かつ前記収容室と外部とを連通させるとおり穴が形成され、前記仮想回転軸は前記とおり穴の中心を通過し、前記切り替え装置は前記操作部に設けられた切り替え爪を含み、前記制御具は第１伝動部を含み、切り替え爪は第２伝動部を含み、該第１伝動部と第２伝動部は前記とおり穴を通して一体に連結されることにより、前記切り替え爪を回すとき、連動により該切り替え爪と前記制御具とが前記仮想枢転軸を軸心として共に回転することを特徴とする、請求項１ないし請求項５のいずれか一項に記載の小さい動作角で回動可能なリバーシブルラチェットレンチ。
【請求項１２】
前記第１伝動部には伝動穴が設けられ、前記第２伝動部には伝動棒が設けられ、該伝動棒は前記とおり穴を通して前記伝動穴に挿入されることを特徴とする、請求項１１記載の小さい動作角で回動可能なリバーシブルラチェットレンチ。
【請求項１３】
前記操作部には、凹み溝と弾性具と位置決め具とが更に設けられ、該凹み溝は、前記仮想枢転軸の軸方向に沿って前記本体の外側に凹設され、前記弾性具と前記位置決め具は、前記仮想枢転軸の軸方向に沿って順番に前記凹み溝の内部に収容され、前記弾性具の両端はそれぞれ、前記凹み溝と前記位置決め具とに当接され、前記本体に接近する切り替え爪の一側には、第１位置決め溝と第２位置決め溝が設けられ、前記位置決め具は、前記第１位置決め溝又は前記第２位置決め溝に係合されることを特徴とする、請求項１１記載の小さい動作角で回動可能なリバーシブルラチェットレンチ。
【考案の詳細な説明】
【技術分野】
【０００１】
本考案はラチェットレンチに関し、特に２つの爪車ブロックが交差に噛み合うことにより、小さい動作角で締結部品などを回すことができるリバーシブルラチェットレンチに関する。
【背景技術】
【０００２】
台湾特許証書第Ｍ４３１７７６号（特許文献１）には、リバーシブルラチェットレンチが記載されている。該ラチェットレンチは、ハンドルと、ヘッド部と、駆動ヘッドと、方向切り替え爪と、第１ラチェットポールと、第２ラチェットポールとを備える。該ヘッド部は、第１隔室と第２隔室とを備える。前記第１隔室と前記第２隔室は、中間部分によって互いに連通されている。前記駆動ヘッドは、前記第１隔室に収容される輪状の駆動歯と駆動端とを含む。前記方向切り替え爪は、前記第２隔室の内部に収容され、第１位置と第２位置との間で移動することができる。前記方向切り替え爪は、２つの弾性具と２つの突き出し棒を有し、前記第１ラチェットポールと前記第２ラチェットポールは、別々に前記輪状の駆動歯の複数の爪車に噛み合う。前記第１ラチェットポールと前記第２ラチェットポールは、重なった後、共に中間部に収容される。前記方向切り替え爪に接近する前記第１ラチェットポールと前記第２ラチェットポールの一側には、凹部が形成されている。前記方向切り替え爪の押動により、前記ラチェットポールが前記輪状の駆動歯部に当接するか或いは噛み合う。前記第１ラチェットポールの歯数と前記第２ラチェットポールの歯数とが違うので、前記第１ラチェットポールと前記第２ラチェットポールのうちの１つが前記輪状の駆動歯部に噛み合う、他の１つが前記輪状の駆動歯に係止される。前記方向切り替え爪が第１位置に位置するとき、前記方向切り替え爪からの弾性により、前記第１ラチェットポール及び前記第２ラチェットポールが中間部分の内壁に位置する前記ヘッド部の一側に当接するので、前記ラチェットレンチが前記第１方向に空転することができる。前記方向切り替え爪が第２位置に位置するとき、前記方向切り替え爪からの弾性により、前記第１ラチェットポール及び前記第２ラチェットポールが中間部分の内壁に対向する前記ヘッド部の他側に係止されるので、前記ラチェットレンチが第２方向に空転することができる。
【先行技術文献】
【特許文献】
【０００３】
【特許文献１】台湾特許証書第Ｍ４３１７７６号
【考案の概要】
【考案が解決しようとする課題】
【０００４】
前記ラチェットレンチの方向切り替え爪を回すとき、連動によって２つの突き出し棒の角度が変化する。２つの突き出し棒は、２つの弾性具の弾性によって、第１ラチェットポールと第２ラチェットポールの凹部に係合される。突き出し棒は凹部で滑動することができるが、突き出し棒の凹部の押し込み位置を改変した後のみ、第１ラチェットポールと第２ラチェットポールを移動させ、方向切り替えの効果を達成することができる。また、ラチェットレンチを長く使用した場合、ヘッド部に外部からのホコリや油汚れが溜まることと、磨耗によった第１ラチェットポールと第２ラチェットポールの金属屑が溜まることを避けることができる。したがって、第１ラチェットポールと第２ラチェットポールがヘッド部で滑らかに移動することを確保することができなく、かつ方向切り替え爪がラチェットレンチの状態を滑らかに切り替えることができない問題が起きるおそれがある。
【課題を解決するための手段】
【０００５】
本考案の主な目的は、次のような小さい動作角で回動可能なリバーシブルラチェットレンチを提供する。本考案のラチェットレンチは、本体と、駆動具と、爪車装置と、切り替え装置と、プッシャーと、を備える。本体は仮想回転軸を有し、本体の内部には収容空間と収容室とが設けられている。収容室は、仮想回転軸の径方向に沿って収容空間の一側に形成され、かつ収容空間と連通されている。駆動具は、本体の収容空間に設けられ、かつ仮想回転軸を軸心として本体に相対して回転することができる。仮想回転軸の径方向の外側に沿った駆動具の外周面には、環状歯部が設けられている。爪車装置は、第１爪車ブロックと第２爪車ブロックを含む。第１爪車ブロックと第２爪車ブロックは、各自の歯が交差するように仮想回転軸の軸方向に沿って並列される。第１爪車ブロックと第２爪車ブロックは両方とも収容室の内部に設けられる。駆動具に接近する第１爪車ブロックの一側には第１爪部が形成され、駆動具に接近する第２爪車ブロックの一側には第２爪部が形成されている。第１爪部と第２爪部は選択により、別々に環状歯部に噛み合う。切り替え装置は、仮想回転軸に平行する仮想枢転軸を有する。仮想枢転軸は、第１爪車ブロックと第２爪車ブロックから所定の離れた箇所に位置している。切り替え装置は、仮想枢転軸を軸心として回転することができる制御具を含む。ラチェットレンチの切り替え位置を切り替えるとき、制御具の一端が第１爪車ブロックと第２爪車ブロックに当接され、かつ制御具により第１爪車ブロックと第２爪車ブロックが移動することができる。プッシャーは、爪車装置と切り替え装置との間に設けられ、該プッシャーによって第１爪車ブロックと第２爪車ブロックが環状歯部に噛み合う。爪車装置の第１爪車ブロックと第２爪車ブロックを切り替え装置の制御具で直接に駆動することができるので、ラチェットレンチの状態を切り替えるとき、第１爪車ブロックと第２爪車ブロックの位置を確実に切り替えることができ、ラチェットレンチの状態を滑らかに切り替えることができる。
【０００６】
上記の小さい動作角で回動可能なリバーシブルラチェットレンチにおいて、第１爪車ブロックには仮想回転軸の軸方向に沿った第１フランジが凸設され、第２爪車ブロックには仮想回転軸の軸方向に沿った第２フランジが凸設され、爪車装置に接近する制御具の一端には少なくとも１つの制御アームが形成されている。制御アームは仮想枢転軸の径方向に沿って延伸されている。制御アームには仮想枢転軸の径方向に沿った滑り溝が設けられている。第１フランジが滑り溝の内部に設けられることにより、第１爪車ブロックが仮想枢転軸の径方向に沿って制御具に相対して滑動するとともに、制御具に相対して回転することができる。第１爪車ブロックが制御具に相対して回転することができるので、ラチェットレンチの位置を切り替えるとき、制御具によって第１爪車ブロックが移動し、第１爪車ブロックの角度が自由に変化することができる。したがって、ラチェットレンチの第１爪車ブロックが駆動具に噛み合って、切り替え操作を滑らかにすることができないことを避けることができる。
【考案の効果】
【０００７】
本考案の小さい動作角で回動可能なリバーシブルラチェットレンチにより、以下のような効果を奏することができる。
【０００８】
イ、本考案の小さい動作角で回動可能なリバーシブルラチェットレンチは、本体と、駆動具と、爪車装置と、切り替え装置と、プッシャーと、を備える。本体は仮想回転軸を有し、本体の内部には収容空間と収容室とが設けられている。収容室は、仮想回転軸の径方向に沿って収容空間の一側に形成され、かつ収容空間と連通されている。駆動具は、本体の収容空間に設けられ、かつ仮想回転軸を軸心として本体に相対して回転することができる。仮想回転軸の径方向の外側に沿った駆動具の外周面には、輪状歯部が設けられている。爪車装置は、第１爪車ブロックと第２爪車ブロックを含む。第１爪車ブロックと第２爪車ブロックは、各自の歯が交差するように仮想回転軸の軸方向に沿って並列される。第１爪車ブロックと第２爪車ブロックは両方とも収容室の内部に設けられる。駆動具に接近する第１爪車ブロックの一側には第１爪部が形成され、駆動具に接近する第２爪車ブロックの一側には第２爪部が形成されている。第１爪部と第２爪部は選択により、別々に輪状歯部に噛み合う。切り替え装置は、仮想回転軸に平行する仮想枢転軸を有する。仮想枢転軸は、第１爪車ブロックと第２爪車ブロックから所定の離れた箇所に位置する。切り替え装置は、制御具は仮想枢転軸を軸心として回転することができる制御具を含む。ラチェットレンチの切り替え位置を切り替えるとき、制御具の一端が第１爪車ブロックと第２爪車ブロックに当接され、かつ該制御具により、第１爪車ブロックと第２爪車ブロックが移動する。プッシャーは、爪車装置と切り替え装置との間に設けられ、プッシャーによって第１爪車ブロックと第２爪車ブロックが輪状歯部に噛み合う。第１爪車ブロックと第２爪車ブロックを切り替え装置の制御具で直接に駆動することができるので、ラチェットレンチの状態を切り替えるとき、第１爪車ブロックと第２爪車ブロックの位置を確実に切り替えることができ、ラチェットレンチの状態を滑らかに切り替えることができる。
【０００９】
ロ、本考案の小さい動作角で回動可能なリバーシブルラチェットレンチにおいて、第１爪車ブロックには仮想回転軸の軸方向に沿った第１フランジが凸設され、第２爪車ブロックには仮想回転軸の軸方向に沿った第２フランジが凸設され、爪車装置に接近する制御具の一端には少なくとも１つの制御アームが形成されている。制御アームは、仮想枢転軸の径方向に延伸されている。制御アームには、仮想枢転軸の径方向に沿った滑り溝が設けられている。第１フランジが滑り溝の内部に設けられることにより、第１爪車ブロックが仮想枢転軸の径方向に沿って制御具に相対して滑動するとともに、制御具に相対して回転することができる。第１爪車ブロックが制御具に相対して回転することができるので、ラチェットレンチの位置を切り替えるとき、制御具によって第１爪車ブロックが移動し、かつ第１爪車ブロックの角度が自由に変化する。したがって、ラチェットレンチの第１爪車ブロックが駆動具に噛み合って、切り替え操作を滑らかにすることができることを避けることができる。
【図面の簡単な説明】
【００１０】
【図１】本考案の第一実施例に係る小さい動作角で回動可能なリバーシブルラチェットレンチを示す外観斜視図である。
【図２】本考案の第一実施例に係る小さい動作角で回動可能なリバーシブルラチェットレンチを示す分解斜視図である。
【図３】本考案の第一実施例に係る小さい動作角で回動可能なリバーシブルラチェットレンチの局所を示す分解斜視図である。
【図４】本考案の第一実施例に係る小さい動作角で回動可能なリバーシブルラチェットレンチの操作部を示す断面構造図である。
【図５】図４の５−５線に沿う断面を示す断面構造図である。
【図６】図５の６−６線に沿う断面を示す断面構造図である。
【図７】図５の７−７線に沿う断面を示す断面構造図である。
【図８】本考案の第一実施例に係る小さい動作角で回動可能なリバーシブルラチェットレンチの動作を示す断面構造図である。
【図９】本考案の第一実施例に係る小さい動作角で回動可能なリバーシブルラチェットレンチの動作を示す断面構造図である。
【図１０】本考案の第二実施例に係る小さい動作角で回動可能なリバーシブルラチェットレンチの第２位置を示す断面構造図である。
【図１１】本考案の第二実施例に係る小さい動作角で回動可能なリバーシブルラチェットレンチの第２位置示す断面構造図である。
【図１２】本考案の第二実施例に係る小さい動作角で回動可能なリバーシブルラチェットレンチを示す分解斜視図である。
【図１３】本考案の第二実施例に係る小さい動作角で回動可能なリバーシブルラチェットレンチを示す断面構造図である。
【図１４】本考案の第二実施例に係る小さい動作角で回動可能なリバーシブルラチェットレンチを示す異なる方向の断面構造図である。
【図１５】本考案の第二実施例に係る小さい動作角で回動可能なリバーシブルラチェットレンチ第２実施例を示す異なる方向の断面構造図である。
【図１６】本考案の第三実施例に係る小さい動作角で回動可能なリバーシブルラチェットレンチを示す外観斜視図である。
【図１７】本考案の第三実施例に係る小さい動作角で回動可能なリバーシブルラチェットレンチを示す分解斜視図である。
【図１８】本考案の第三実施例に係る小さい動作角で回動可能なリバーシブルラチェットレンチを示す断面構造図である。
【図１９】本考案の第三実施例に係る小さい動作角で回動可能なリバーシブルラチェットレンチを示す異なる方向の断面構造図である。
【図２０】本考案の第三実施例に係る小さい動作角で回動可能なリバーシブルラチェットレンチを示す異なる方向の断面構造図である。
【図２１】本考案の第四実施例に係る小さい動作角で回動可能なリバーシブルラチェットレンチを示す分解斜視図である。
【図２２】本考案の第四実施例に係る小さい動作角で回動可能なリバーシブルラチェットレンチを示す断面構造図である。
【図２３】本考案の第四実施例に係る小さい動作角で回動可能なリバーシブルラチェットレンチを示す異なる方向の断面構造図である。
【図２４】本考案の第四実施例に係る小さい動作角で回動可能なリバーシブルラチェットレンチを示す異なる方向の断面構造図である。
【考案を実施するための形態】
【００１１】
図１ないし図３を参照すると、本考案の第一実施例に係る小さい動作角で回動可能なリバーシブルラチェットレンチの外観斜視図と、分解斜視図と、局所断面図がそれぞれ示されている。本考案のラチェットレンチ１０は、本体２０と、駆動具３０と、爪車装置４０と、切り替え装置５０と、プッシャー６０とを備える。
【００１２】
本体２０は仮想回転軸Ｌを有し、本体２０の内部には収容空間２１と収容室２２が設けられている。収容空間２１は、仮想回転軸Ｌの軸方向に沿って本体２０の両側を貫通する。収容室２２は、本体２０の内部に位置し、かつ仮想回転軸Ｌの径方向に沿って収容空間２１の一側に形成されている。収容空間２１と収容室２２とは互いに連通されている。
【００１３】
収容空間２１は第１直径Ｄ１（図５に示す）を有し、本体２０の収容空間２１の内部には係止フランジ２１１と係止凹部２１２が設けられている。係止フランジ２１１と係止凹部２１２はそれぞれ、仮想回転軸Ｌの軸方向に沿って収容空間２１の両端に設けられ、係止凹部２１２の内部には、係止リング２１３が更に設けられている。係止フランジ２１１は第２直径Ｄ２（図５に示す）を有し、係止リング２１３は第３直径Ｄ３（図５に示す）を有する。第２直径Ｄ２と第３直径Ｄ３はいずれも第１直径Ｄ１より小さい。
【００１４】
本体２０は操作部２３を含み、操作部２３にはとおり穴２３１が形成されている。とおり穴２３１は、仮想回転軸Ｌの軸方向に形成され、かつ収容室２２と外部とを連通させる。操作部２３は、凹み溝２３２と弾性具２３３と位置決め具２３４とをさらに含む。凹み溝２３２は、仮想回転軸Ｌの軸方向に沿って本体２０の外側に凹設され、弾性具２３３と位置決め具２３４は、仮想回転軸Ｌの軸方向に沿って凹み溝２３２の内部に順に収容され、弾性具２３３の両端はそれぞれ、凹み溝２３２と位置決め具２３４とに当接される。
【００１５】
図４と図５を参照すると、本考案の第一実施例に係る小さい動作角で回動可能なリバーシブルラチェットレンチの操作部の横向断面構造図と縦向断面構造図が示されている。駆動具３０は本体２０の収容空間２１に内設され、かつ仮想回転軸Ｌを軸心として本体２０に相対して回転することができる。仮想回転軸Ｌの径方向の外側に沿う駆動具３０の外周面には、環状歯部３１が設けられている。環状歯部３１の最大直径が第１直径Ｄ１より小さく、かつ第２直径Ｄ２と第３直径Ｄ３とより大きいことにより、仮想回転軸Ｌの軸方向に沿う駆動具３０の両端がそれぞれ、係止フランジ２１１と係止リング２１３とに当接される。
【００１６】
爪車装置４０は、第１爪車ブロック４１と第２爪車ブロック４２とを含む。第１爪車ブロック４１と第２爪車ブロック４２は、仮想回転軸Ｌの軸方向に並列され、かつ両方とも収容室２２に設けられる。駆動具３０の接近する第１爪車ブロック４１の一側には第１爪部４１１が形成され、駆動具３０の接近する第２爪車ブロック４２の一側には第２爪部４２１が形成されている。第１爪部４１１と第２爪部４２１は選択により、別々に環状歯部３１に噛み合う。
【００１７】
第１爪部４１１の両端には、複数の第１爪車４１２と複数の第２爪車４１３とがそれぞれ形成されている。複数の第１爪車４１２は互いに隣接するように並列され、複数の第２爪車４１３も互いに隣接するように並列されている。複数の第１ラチェット４１２と複数の第２爪車４１３はそれぞれ、第１爪部４１１の異なる面に形成されている。第２爪部４２１の両端には、複数の第１爪車４２２と複数の第２爪車４２３とがそれぞれ形成されている。複数の第１爪車４２２は互いに隣接するように並列され、複数の第２爪車４２３も互いに隣接するように並列されている。複数の第１爪車４２２と複数の第２爪車４２３はそれぞれ、第２爪部４２１の異なる面に形成されている。
【００１８】
第２爪車ブロック４２の反対側である第１爪車ブロック４１の一端には、仮想回転軸Ｌの軸方向に沿った円柱状の第１フランジ４１４が凸設されている。第１爪車ブロック４１の反対側である第２爪車ブロック４２の一端には、仮想回転軸Ｌの軸方向に沿った円柱状の第２フランジ４２４が凸設されている。
【００１９】
切り替え装置５０は仮想枢転軸Ｓを有し、仮想枢転軸Ｓと仮想回転軸Ｌが互いに平行している。仮想枢転軸Ｓは、第１爪車ブロック４１と第２爪車ブロック４２とから所定の距離離れた箇所に位置し、かつ第１爪車ブロック４１と第２爪車ブロック４２を通過せず、とおり穴２３１の中心を通過する。切り替え装置５０は制御具５１と切り替え爪５２を有し、制御具５１は収容室２２の内部に設けられ、切り替え爪５２は操作部２３に設けられる。制御具５１は第１伝動部５１１を有し、切り替え爪５２は第２伝動部５２１を有し、第１伝動部５１１と第２伝動部５２１とはとおり穴２３１を通して一体に連結される。したがって、切り替え爪５２を回すとき、連動により制御具５１は仮想枢転軸Ｓを軸心として切り替え爪５２と共に回転することができる。第１伝動部５１１には伝動穴５１２が設けられ、第２伝動部５２１には伝動棒５２２が設けられ、伝動棒５２２はとおり穴２３１を通して伝動穴５１２に挿入される。
【００２０】
制御具５１の一端は、第１爪車ブロック４１と第２爪車ブロック４２に当接され、かつ爪車装置４０に接近する制御具５１の一端には、少なくとも１つの制御アーム５１３が形成されている。本実施例の制御具５１には、２つの制御アーム５１３が形成されている。２つの制御アーム５１３は仮想枢転軸Ｓの徑方向に延伸され、制御アーム５１３には仮想枢転軸Ｓの徑方向に沿う滑り溝５１４が設けられている。第１フランジ４１４と第２フランジ４２４をそれぞれ２つの滑り溝５１４に結合させるとき、第１爪車ブロック４１と第２爪車ブロック４２が仮想枢転軸Ｓの徑方向に沿って制御具５１に相対して滑動するとともに、制御具５１に相対して回転することができる。滑り溝５１４の両側には係止面５１５がそれぞれ形成され、滑り溝５１４の２つの係止面５１５はそれぞれ第１フランジ４１４と第２フランジ４２４の両側とに当接される。
【００２１】
本体２０に接近する切り替え爪５２の一側には、第１位置決め溝５２３と第２位置決め溝５２４が設けられている。位置決め具２３４は選択により、第１位置決め溝５２３又は第２位置決め溝５２４に係合される。
【００２２】
プッシャー６０は、爪車装置４０と切り替え装置５０との間に設けられ、かつ第１弾性具６１と第２弾性具６２を含む。第１弾性具６１と第２弾性具６２をそれぞれ２つの滑り溝５１４に係合させるとき、第１弾性具６１の両端はそれぞれ制御具５１と第１爪車ブロック４１の第１フランジ４１４とに当接され、第２弾性具６２の両端はそれぞれ制御具５１と第２爪車ブロック４２の第２フランジ４２４とに当接される。第１弾性具６１と第２弾性具６２の押動により、第１爪車ブロック４１と第２爪車ブロック４２が制御具５１から離れる方向に移動し、かつ環状歯部３１に噛み合う。
【００２３】
図６ないし図９を参照すると、本考案の第一実施例に係る小さい動作角で回動可能なリバーシブルラチェットレンチの第１位置の断面構造図と動作図とがそれぞれ示されている。ラチェットレンチ１０は、第１位置と第２位置との間で切り替えることができる。ラチェットレンチ１０が第１位置に位置するとき、切り替え爪５２を第１位置に回して、位置決め具２３４を第１位置決め溝５２３に係合させる。そのとき、切り替え爪５２の連動により制御具５１が切り替え爪５２と共に第１位置に回転し、かつ制御具５１によって第１爪車ブロック４１と第２爪車ブロック４２が第１位置に移動する。第１爪車ブロック４１と第２爪車ブロック４２が第１位置に位置するとき、複数の第１爪車４１２又は複数の第３爪車４２２が環状歯部３１に噛み合い、かつ第１爪車ブロック４１と第２爪車ブロック４２とが交差状態になる。駆動具３０が爪車装置４０に相対してラチェット運動をするとき、駆動具３０により第１爪車ブロック４１又は第２爪車ブロック４２が後退し、第１爪車ブロック４１と第２爪車ブロック４２が順番に環状歯部３１に噛み合う。
【００２４】
図１０と図１１を参照すると、本考案の第一実施例に係る小さい動作角で回動可能なリバーシブルラチェットレンチの第２位置の断面構造図が示されている。ラチェットレンチ１０が第２位置に位置するとき、切り替え爪５２を第２位置に回して、位置決め具２３４を第２位置決め溝５２４に係合させる。そのとき、切り替え爪５２の連動により制御具５１が切り替え爪５２と共に第２位置に回動し、かつ制御具５１によって第１爪車ブロック４１と第２爪車ブロック４２とが第２位置に移動する。第１爪車ブロック４１と第２爪車ブロック４２が第２位置に位置するとき、複数の第１爪車４１３又は複数の第３爪車４２３が環状歯部３１に噛み合い、かつ第１爪車ブロック４１と第２爪車ブロック４２とが交差状態になる。
【００２５】
爪車装置４０が駆動具３０に噛み合うとき、第１爪車ブロック４１と第２爪車ブロック４２とのうちの１つのみが駆動具３０の環状歯部３１に噛み合うので、ラチェットレンチ１０の回転できるラチェット角度が環状歯部３１において隣接する２つの歯の間に形成された角度の半分になり、狭い空間でラチェットレンチ１０を小さい角度で往復回転させることができる。
【００２６】
爪車装置４０の第１爪車ブロック４１と第２爪車ブロック４２は、切り替え装置５０の制御具５１で直接に駆動することができる。これにより、ラチェットレンチ１０の状態を切り替えるとき、第１爪車ブロック４１と第２爪車ブロック４２が正確な切り替え位置を位置し、ラチェットレンチ１０の順調に切り替えることを確保することができる。また、仮想枢転軸Ｓが第１爪車ブロック４１と第２爪車ブロック４２から離れているので、制御具５１を回転させるとき、制御具５１により第２爪車ブロック４２が大幅に移動し、かつ第１爪車ブロック４１と第２爪車ブロック４２が最適な角度に駆動具３０に噛み合うので、最大のトルクを提供することができる。また、第１爪車ブロック４１と第２爪車ブロック４２とが制御具５１に相対して回転することができるため、ラチェットレンチ１０の位置を切り替える過程において、制御具５１によって第１爪車ブロック４１と第２爪車ブロック４２が移動するとき、第１爪車ブロック４１と第２爪車ブロック４２の角度が自由に変化することができる。したがって、第１爪車ブロック４１と第２爪車ブロック４２が駆動具３０に噛み合うことにより、ラチェットレンチ１０を滑らかに切り替えられないことを避けることができる。
【００２７】
図１２ないし図１５を参照すると、本考案の第二実施例に係る小さい動作角で回動可能なリバーシブルラチェットレンチの分解斜視図と、断面構造図と、異なる方向の断面構造図とがそれぞれ示されている。本考案の第二実施例と第一実施例とはほぼ同じである。本考案の第２実施例と第一実施例の主な相違点は、第二実施例の駆動具３０ａの環状歯部３１ａに複数の第１環状歯３１１ａと複数の第２環状歯３１２ａとが形成されていることにある。複数の第１環状歯３１１ａと複数の第２環状歯３１２ａは、仮想枢転軸Ｌの軸方向に沿って並列され、かつ両者の歯が互いに交差する。本実施例において、第１爪車ブロック４１ａと第２爪車ブロック４２ａの形状が同じである。第１爪部４１１ａの第１爪車４１２ａ又は第２爪車４１３ａは選択により、別々に第１環状歯３１１ａに噛み合い、第２爪部４２１ａの第３爪車４２２ａ又は第４爪車４２３ａは選択により、別々に第２環状歯３１２ａに噛み合う。第１爪車ブロック４１ａと第２爪車ブロック４２ａは交差するように設けられる。
【００２８】
ラチェットレンチ１０ａは、第１位置と第２位置との間で切り替えることができる。第１爪車ブロック４１ａと第２ラチラチェットレンチ４２ａが第１位置に位置するときは、複数の第１爪車４１２ａ又は複数の第３爪車４２２ａが環状歯部３１ａに噛み合い、第１爪車ブロック４１ａと第２爪車ブロック４２ａが交差状態になる。第１爪車ブロック４１ａと第２爪車ブロック４２ａが第２位置に位置するとき、複数の第１爪車４１３ａ又は複数の第４爪車４２３ａが環状歯部３１ａに噛み合い、第１爪車ブロック４１ａと第２爪車ブロック４２ａが交差状態になる。
【００２９】
本実施例において、第１爪車ブロック４１ａと第２爪車ブロック４２ａの形状が同じであるので、同じ加工方式で第１爪車ブロック４１ａと第２爪車ブロック４２ａを形成することにより、ラチェットレンチ１０ａの製造コストを軽減することができる。
【００３０】
図１６ないし図２０を参照すると、本考案の第三実施例に係る小さい動作角で回動可能なリバーシブルラチェットレンチの外観斜視図と、分解斜視図と、断面構造図と、異なる方向の断面構造図とがそれぞれ示されている。本考案の第三実施例と第一実施例とがほぼ同じである。両者の主な相違点は、第三実施例において、収容空間２１ｂが仮想回転軸Ｌの軸方向に沿って本体２０ｂの両側を貫通し、収容空間２１ｂが円孔状に形成されることにある。また、駆動具３０ｂは、環状歯部３１ｂの軸方向の中心に設けられた環状溝３２ｂをさらに含み、駆動具３０ｂと向き合う第１爪車ブロック４１ｂの一端には、第１係止フランジ４１５ｂが凸設され、駆動具３０ｂと向き合う第２爪車ブロック４２ｂの一端には第２係止フランジ４２５ｂを凸設されている。第１係止フランジ４１５ｂと第２係止フランジ４２５ｂは輪状溝３２ｂに係止される。輪状溝３２ｂが第１爪車ブロック４１ｂと第２爪車ブロック４２ｂとの間に位置することにより、第１爪車ブロック４１ｂと第２爪車ブロック４２ｂがそれぞれ環状歯部３１ｂの両側に噛み合う。第１係止フランジ４１５ｂは、第２爪車ブロック４２ｂに接近する第１爪車ブロック４１ｂの一側に設けられ、第２係止フランジ４２５ｂは、第１爪車ブロック４１ｂに接近する第２爪車ブロック４２ｂの一側に設けられている。
【００３１】
本考案のラチェットレンチ１０ｂは、第１係止フランジ４１５ｂと第２係止フランジ４２５ｂとが駆動具３０ｂに係合されることにより、駆動具３０ｂが収容空間２１ｂから離脱することを防ぐことができる。また、収容空間２１ｂを１つのトリルで形成することができるので、ラチェットレンチ１０ｂの構造を簡素化させ、ラチェットレンチ１０ｂの加工コストを軽減することができる。
【００３２】
図２１ないし図２４を参照すると、本考案の第四実施例に係る小さい動作角で回動可能なリバーシブルラチェットレンチの分解斜視図と、断面構造図と、異なる方向の断面構造図とがそれぞれ示されている。本考案の第四実施例と第二実施例とがほぼ同じである。両者の主な相違点は、本実施例の収容空間２１ｃに仮想回転軸Ｌの軸方向に沿って本体２０ｃの両側を貫通した円孔状の収容空間２１ｃが形成されていることにある。駆動具３０ｃは、環状歯部３１ｂの軸方向の中心に設けられた環状溝３２ｃをさらに含み、駆動具３０ｃと向き合う第１爪車ブロック４１ｂの一端には第１係止フランジ４１５ｃが凸設され、駆動具３０ｃと向き合う第２爪車ブロック４２ｃの一端には第２係止フランジ４２５ｃが凸設されている。第１係止フランジ４１５ｃと第２係止フランジ４２５ｃは輪状溝３２ｃに係止される。環状溝３２ｃは、複数の第１環状歯３１１ｃと複数の第２環状歯３１２ｃとの間に設けられ、第１係止フランジ４１５ｃは、第２爪車ブロック４２ｃに接近する第１爪車ブロック４１ｃがの一側に設けられ、第２係止フランジ４２５ｃは、第１爪車ブロック４１ｃに接近する第２爪車ブロック４２ｃの一側に設けられる。
【００３３】
ラチェットレンチ１０ｃは、第１係止フランジ４１５ｃと第２係止フランジ４２５ｃとが駆動具３０ｃに係合されることにより、駆動具３０ｃが収容空間２１ｃから離脱することを防ぐことができる。また、第１爪車ブロック４１ｃと第２爪車ブロック４２ｃの形状が同じであることにより、ラチェットレンチ１０ｃの構造を簡素化させ、ラチェットレンチ１０ｃの加工コストを軽減できる、かつ容易に組み立てることができる。
【００３４】
上述したとおり、本考案の小さい動作角で回動可能なリバーシブルラチェットレンチは、本体と、駆動具と、爪車装置と、切り替え装置と、プッシャーと、を備える。本体は仮想回転軸を有し、本体の内部には収容空間と収容室とが設けられている。収容室は、仮想回転軸の径方向に沿って収容空間の一側に形成され、かつ収容空間と連通されている。駆動具は、本体の収容空間に設けられ、かつ仮想回転軸を軸心として本体に相対して回転することができる。仮想回転軸の径方向の外側に沿った駆動具の外周面には、輪状歯部が設けられている。爪車装置は、第１爪車ブロックと第２爪車ブロックを含む。第１爪車ブロックと第２爪車ブロックは、各自の歯が交差するように仮想回転軸の軸方向に沿って並列される。第１爪車ブロックと第２爪車ブロックは両方とも収容室の内部に設けられる。駆動具に接近する第１爪車ブロックの一側には第１爪部が形成され、駆動具に接近する第２爪車ブロックの一側には第２爪部が形成されている。第１爪部と第２爪部は選択により、別々に輪状歯部に噛み合う。切り替え装置は、仮想回転軸に平行する仮想枢転軸を有する。仮想枢転軸は、第１爪車ブロックと第２爪車ブロックから所定の離れた箇所に位置する。切り替え装置は、制御具は仮想枢転軸を軸心として回転することができる制御具を含む。ラチェットレンチの切り替え位置を切り替えるとき、制御具の一端が第１爪車ブロックと第２爪車ブロックに当接され、かつ該制御具により、第１爪車ブロックと第２爪車ブロックが移動する。プッシャーは、爪車装置と切り替え装置との間に設けられ、プッシャーによって第１爪車ブロックと第２爪車ブロックが輪状歯部に噛み合う。第１爪車ブロックと第２爪車ブロックを切り替え装置の制御具で直接に駆動することができるので、ラチェットレンチの状態を切り替えるとき、第１爪車ブロックと第２爪車ブロックの位置を確実に切り替えることができ、ラチェットレンチの状態を滑らかに切り替えることができる。
【００３５】
上述した本考案の小さい動作角で回動可能なリバーシブルラチェットレンチにおいて、第１爪車ブロックには仮想回転軸の軸方向に沿った第１フランジが凸設され、第２爪車ブロックには仮想回転軸の軸方向に沿った第２フランジが凸設され、爪車装置に接近する制御具の一端には少なくとも１つの制御アームが形成されている。制御アームは、仮想枢転軸の径方向に延伸されている。制御アームには、仮想枢転軸の径方向に沿った滑り溝が設けられている。第１フランジが滑り溝の内部に設けられることにより、第１爪車ブロックが仮想枢転軸の径方向に沿って制御具に相対して滑動するとともに、制御具に相対して回転することができる。第１爪車ブロックが制御具に相対して回転することができるので、ラチェットレンチの位置を切り替えるとき、制御具によって第１爪車ブロックが移動し、かつ第１爪車ブロックの角度が自由に変化する。したがって、ラチェットレンチの第１爪車ブロックが駆動具に噛み合って、切り替え操作を滑らかにすることができることを避けることができる。
【符号の説明】
【００３６】
１０  ラチェットレンチ
２０  本体
２１  収容空間
２１１  係止フランジ
２１２  係止凹部
２１３  係止リング
２２  収容室
２３  操作部
２３１  とおり穴
２３２  凹み溝
２３３  弾性具
２３４  位置決め具
３０  駆動具
３１  環状歯部
４０  爪車装置
４１  第１爪車ブロック
４１１  第１爪部
４１２  第１爪車
４１３  第２爪車
４１４  第１フランジ
４２  第２爪車ブロック
４２１  第２爪部
４２２  第３爪車
４２３  第４爪車
４２４  第２フランジ
５０  切り替え装置
５１  制御具
５１１  第１伝動部
５１２  伝動穴
５１３  制御アーム
５１４  滑り溝
５１５  係止面
５２  切り替え爪
５２１  第２伝動部
５２２  伝動棒
５２３  第１位置決め溝
５２４  第２位置決め溝
６０  プッシャー
６１  第１弾性具
６２  第２弾性具
１０ａ  ラチェットレンチ
３０ａ  駆動具
３１ａ  環状歯部
３１１ａ  第１環状歯
３１２ａ  第２環状歯
４１ａ  第１爪車ブロック
４１１ａ  第１爪部
４１２ａ  第１爪車
４１３ａ  第２爪車
４２ａ  第２爪車ブロック
４２１ａ  第２爪部
４２２ａ  第３爪車
４２３ａ  第４爪車
１０ｂ  ラチェットレンチ
２０ｂ  本体
２１ｂ  収容空間
３０ｂ  駆動具
３１ｂ  環状歯部
３２ｂ  環状溝
４１ｂ  第１爪車ブロック
４１５ｂ  第１係止フランジ
４２ｂ  第２爪車ブロック
４２５ｂ  第２係止フランジ
１０ｃ  ラチェットレンチ
２０ｃ  本体
２１ｃ  収容空間
３０ｃ  駆動具
３１ｃ  環状歯部
３１１ｃ  第１環状歯
３１２ｃ  第２環状歯
３２ｃ  環状溝
４１ｃ  第１爪車ブロック
４１５ｃ  第１係止フランジ
４２ｃ  第２爪車ブロック
４２５ｃ  第２係止フランジ
Ｄ１  第１直径
Ｄ２  第２直径
Ｄ３  第３直径
Ｌ  仮想回転軸
Ｓ  仮想枢転軸
【図１】
0003194592.tif 000003
【図２】
0003194592.tif 000004
【図３】
0003194592.tif 000005
【図４】
0003194592.tif 000006
【図５】
0003194592.tif 000007
【図６】
0003194592.tif 000008
【図７】
0003194592.tif 000009
【図８】
0003194592.tif 000010
【図９】
0003194592.tif 000011
【図１０】
0003194592.tif 000012
【図１１】
0003194592.tif 000013
【図１２】
0003194592.tif 000014
【図１３】
0003194592.tif 000015
【図１４】
0003194592.tif 000016
【図１５】
0003194592.tif 000017
【図１６】
0003194592.tif 000018
【図１７】
0003194592.tif 000019
【図１８】
0003194592.tif 000020
【図１９】
0003194592.tif 000021
【図２０】
0003194592.tif 000022
【図２１】
0003194592.tif 000023
【図２２】
0003194592.tif 000024
【図２３】
0003194592.tif 000025
【図２４】
0003194592.tif 000026
【手続補正書】
【提出日】平成26年9月26日(2014.9.26)
【手続補正１】
【補正対象書類名】実用新案登録請求の範囲
【補正対象項目名】全文
【補正方法】変更
【補正の内容】
【実用新案登録請求の範囲】
【請求項１】
本体と、駆動具と、爪車装置と、切り替え装置と、プッシャーとを備える、小さい動作角で回動可能なリバーシブルラチェットレンチであって、
前記本体は仮想回転軸を有し、該本体の内部には収容空間と収容室が設けられており、該収容室は前記仮想回転軸の径方向に沿って前記収容空間の一側に形成され、かつ該収容空間と連通されており、
前記駆動具は、前記本体の前記収容空間に設けられ、かつ前記仮想回転軸を軸心として前記本体に相対して回転することができ、前記仮想回転軸の径方向の外側に沿った該駆動具の外周面には環状歯部が設けられており、
前記爪車装置は、第１爪車ブロックと第２爪車ブロックとを含み、該第１爪車ブロックと第２爪車ブロックは、各自の歯が互いに交差するように前記仮想回転軸の軸方向に沿って並列され、前記第１爪車ブロックと前記第２爪車ブロックは両方とも前記収容室に設けられ、かつ別々に前記駆動具に噛み合い、前記駆動具に接近する前記第１爪車ブロックの一側には第１爪部が形成され、前記駆動具に接近する前記第２爪車ブロックの一側には第２爪部が形成され、前記第１爪部と第２爪部は選択により、別々に前記環状歯部に噛み合い、
前記切り替え装置は、前記仮想回転軸に平行する仮想枢転軸を有し、該仮想枢転軸は、前記第１爪車ブロックと前記第２爪車ブロックから所定の距離離れた箇所に位置し、前記切り替え装置は前記収容室の内部に設けられ、かつ前記仮想枢転軸を軸心として回転することができる制御具を含み、前記ラチェットレンチの位置を切り替えるとき、前記制御具の一端が前記第１爪車ブロックと前記第２爪車ブロックに当接され、かつ該制御具によって前記第１爪車ブロックと前記第２爪車ブロックが移動し、
前記プッシャーは、前記爪車装置と前記切り替え装置との間に設けられ、該プッシャーの押動により前記第１爪車ブロックと前記第２爪車ブロックが前記環状歯部に噛み合うことを特徴とする、小さい動作角で回動可能なリバーシブルラチェットレンチ。
【請求項２】
前記第１爪車ブロックには、前記仮想回転軸の軸方向に沿った第１フランジが凸設され、前記第２爪車ブロックには、前記仮想回転軸の軸方向に沿った第２フランジが凸設され、前記爪車装置に接近する前記制御具の一端には、前記仮想回転軸の径方向に延伸された少なくとも１つの制御アームが形成され、該制御アームには前記仮想枢転軸の径方向に沿った滑り溝が設けられ、前記第１フランジが該滑り溝の内部に設けられることにより、第１爪車ブロックは前記仮想枢転軸の径方向に沿って前記制御具に相対して滑動するとともに、前記制御具に相対して回動することを特徴とする、請求項１記載の小さい動作角で回動可能なリバーシブルラチェットレンチ。
【請求項３】
前記制御具の一端には２つの制御アームが形成され、前記第１フランジは前記第２爪車ブロックの反対側である前記第１爪車ブロックの一端に設けられ、前記第２フランジは前記第１爪車ブロックの反対側である前記第２爪車ブロックの一端に設けられ、前記第１フランジと前記第２フランジがそれぞれ前記２つの滑り溝に設けられることにより、前記第２爪車ブロックが前記仮想枢転軸の径方向に滑動するとともに、かつ前記制御具に相対して回転することができ、前記滑り溝の両側には係止面がそれぞれ形成され、該係止面はそれぞれ前記第１フランジと前記第２フランジの両側に当接されることを特徴とする、請求項２記載の小さい動作角で回動可能なリバーシブルラチェットレンチ。
【請求項４】
前記第１フランジと前記第２フランジは円柱状に形成されることを特徴とする、請求項３記載の小さい動作角で回動可能なリバーシブルラチェットレンチ。
【請求項５】
前記プッシャーは、前記２つの滑り溝にそれぞれ設けられる第１弾性具と第２弾性具を含み、該第１弾性具の両端はそれぞれ、前記制御具と前記第１爪車ブロックの前記第１フランジとに当接され、前記第２弾性具の両端はそれぞれ、前記制御具と前記第２爪車ブロックの前記第２フランジとに当接され、前記第２弾性具と前記第２弾性具との押動により、前記第１爪車ブロックと前記第２爪車ブロックが前記制御具から離れる方向に移動することを特徴とする、請求項４記載の小さい動作角で回動可能なリバーシブルラチェットレンチ。
【請求項６】
前記第１爪部の両端には、複数の第１爪車と複数の第２爪車とがそれぞれ形成され、該複数の第１爪車と複数の第２爪車はそれぞれ、前記第１爪部の異なる面に形成され、前記第２爪部の両端には、複数の第３爪車と複数の第４爪車とがそれぞれ形成され、該複数の第３爪車と複数の第４爪車はそれぞれ、前記第２爪部の異なる面に形成され、前記第１爪車ブロックと前記第２爪車ブロックが第１位置に位置するとき、前記複数の第１爪車又は前記複数の第３爪車が前記環状歯部に噛み合い、前記第１爪車ブロックと前記第２爪車ブロックが第２位置に位置するとき、前記複数の第２爪車又は前記複数の前記第４爪車が前記環状歯部に噛み合うことを特徴とする、請求項１ないし請求項５のいずれか一項に記載の小さい動作角で回動可能なリバーシブルラチェットレンチ。
【請求項７】
前記駆動具の環状歯部には、複数の第１環状歯と複数の第２環状歯とがそれぞれ設けられ、該複数の第１環状歯と該複数の第２環状歯は、各自の歯が交差するように前記仮想回転軸の軸方向に沿って配列され、前記第１爪車ブロックと前記第２爪車ブロックの形状が同じであり、前記第１爪部の第１爪車又は第２爪車は選択により、別々に前記第１環状歯に噛み合い、前記第２爪部の第３爪車又は第４爪車は選択により、別々に前記第２環状歯に噛み合うことを特徴とする、請求項１ないし請求項５のいずれか一項に記載の小さい動作角で回動可能なリバーシブルラチェットレンチ。
【請求項８】
前記駆動具は、前記環状歯部に設けられた環状溝を更に含み、前記制御具と向き合う前記第１爪車ブロックの一端には、第１係止フランジが凸設され、該第１係止フランジは、前記環状溝に係合されることを特徴とする、請求項１ないし請求項５のいずれか一項に記載の小さい動作角で回動可能なリバーシブルラチェットレンチ。
【請求項９】
前記制御具と向き合う前記第２爪車ブロックの一端には、前記環状溝に係合される第２係止フランジが設けられ、前記環状溝は前記第１爪車ブロックと前記第２爪車ブロックとの間に位置し、該第１爪車ブロックと第２爪車ブロックはそれぞれ前記環状歯部の両側に噛み合い、前記第１係止フランジは前記第２爪車ブロックに接近する前記第１爪車ブロックの一側に設けられ、前記第２係止フランジは前記第１爪車ブロックに接近する前記第２爪車ブロックの一側に設けられていることを特徴とする、請求項８記載の小さい動作角で回動可能なリバーシブルラチェットレンチ。
【請求項１０】
前記収容空間は第１直径を有し、該収容空間内には係止フランジと係止凹部とが設けられ、該係止フランジと係止凹部は、前記仮想回転軸の軸方向に沿って前記収容空間の両端に設けられ、前記係止凹部内には係止リングを更に設けられ、前記係止フランジは第２直径を有し、前記係止リングは第３直径を有し、前記第２直径と前記第３直径はいずれも前記第１直径より小さく、前記環状歯部の最大直径が前記第１直径より小さく、かつ前記第２直径と前記第３直径より大きいことにより、仮想回転軸の軸方向に沿う前記駆動具の両端がそれぞれ前記係止フランジと前記係止リングとに当接されることを特徴とする、請求項１ないし請求項５のいずれか一項に記載の小さい動作角で回動可能なリバーシブルラチェットレンチ。
【請求項１１】
前記本体には操作部が更に設けられ、該操作部には前記仮想回転軸の軸方向に形成され、かつ前記収容室と外部とを連通させるとおり穴が形成され、前記仮想回転軸は前記とおり穴の中心を通過し、前記切り替え装置は前記操作部に設けられた切り替え爪を含み、前記制御具は第１伝動部を含み、切り替え爪は第２伝動部を含み、該第１伝動部と第２伝動部は前記とおり穴を通して一体に連結されることにより、前記切り替え爪を回すとき、連動により該切り替え爪と前記制御具とが前記仮想枢転軸を軸心として共に回転することを特徴とする、請求項１ないし請求項５のいずれか一項に記載の小さい動作角で回動可能なリバーシブルラチェットレンチ。
【請求項１２】
前記第１伝動部には伝動穴が設けられ、前記第２伝動部には伝動棒が設けられ、該伝動棒は前記とおり穴を通して前記伝動穴に挿入されることを特徴とする、請求項１１記載の小さい動作角で回動可能なリバーシブルラチェットレンチ。
【請求項１３】
前記操作部には、凹み溝と弾性具と位置決め具とが更に設けられ、該凹み溝は、前記仮想枢転軸の軸方向に沿って前記本体の外側に凹設され、前記弾性具と前記位置決め具は、前記仮想枢転軸の軸方向に沿って順番に前記凹み溝の内部に収容され、前記弾性具の両端はそれぞれ、前記凹み溝と前記位置決め具とに当接され、前記本体に接近する切り替え爪の一側には、第１位置決め溝と第２位置決め溝が設けられ、前記位置決め具は、前記第１位置決め溝又は前記第２位置決め溝に係合されることを特徴とする、請求項１１記載の小さい動作角で回動可能なリバーシブルラチェットレンチ。